(57)【要約】【課題】端子の挿入作業を円滑かつ確実に行うことが可能なコネクタを提供すること。【解決手段】雌端子８０と、端子収容室を有するハウジングと、ハウジングと雌端子から延びる電線８１との間をシールするマットシール２０と、を備え、マットシール２０は、挿通孔２５における少なくとも端子挿入方向の後方側に設けられ、雌端子８０を挿通孔２５へ導くテーパ形状のガイド部２５ａと、ガイド部２５ａに設けられ、挿通孔２５へ挿入される雌端子８０が当接されることで、雌端子８０の軸回りの姿勢を所定の姿勢に矯正する姿勢矯正部２７と、を有する。【選択図】図８
2018200766.tif 000002
【特許請求の範囲】
【請求項１】
電線の端末に接続された端子と、
前記端子が所定の姿勢で後方側から挿し込まれる端子収容室を有するハウジングと、
前記端子が通される挿通孔を有するとともに、前記ハウジングの後方に装着されて前記ハウジングと前記挿通孔に通された前記端子から延びる前記電線との間をシールする防水部材と、
を備えるコネクタであって、
前記防水部材は、
前記挿通孔における少なくとも端子挿入方向の後方側に設けられ、前記端子を前記挿通孔へ導くテーパ形状のガイド部と、
前記ガイド部に設けられ、前記挿通孔へ挿入される前記端子が当接されることで、前記端子の軸回りの姿勢を前記所定の姿勢に矯正する姿勢矯正部と、
を有する
ことを特徴とするコネクタ。
【請求項２】
前記端子は、相手側端子と電気的に接続される電気接続部が断面視矩形状に形成され、
前記姿勢矯正部は、前記電気接続部の断面形状におけるそれぞれの辺に沿う位置に対応して突設された凸状部を有する
ことを特徴とする請求項１に記載のコネクタ。
【請求項３】
前記端子が通される貫通孔を有するとともに、前記防水部材を前記ハウジングへ保持する防水部材カバーを備え、
前記貫通孔へ通された前記端子は、前記電気接続部の軸回りの傾きが前記所定の姿勢に対して４５°未満に抑えられて前記防水部材の前記挿通孔へ導かれる
ことを特徴とする請求項２に記載のコネクタ。
【発明の詳細な説明】
【技術分野】
【０００１】
本発明は、防水部材を備えたコネクタに関する。
【背景技術】
【０００２】
電線の端部に接続された端子が収容される端子収容室を備えたハウジングと、ハウジングの後方に設けられて電線とハウジングとの間をシールする防水部材と、防水部材をハウジングに組付ける防水部材カバーと、を備えるコネクタが知られている（例えば、特許文献１〜５参照）。
【先行技術文献】
【特許文献】
【０００３】
【特許文献１】特開平７−２８２８９２号公報
【特許文献２】特開２００８−８４６７１号公報
【特許文献３】特開２０１２−２４３７３９号公報
【特許文献４】特開２０１４−２９７８号公報
【特許文献５】特開２０１４−２２００５８号公報
【特許文献６】特開２０１６−２２５０４５号公報
【発明の概要】
【発明が解決しようとする課題】
【０００４】
図１１に示すように、マットシール（防水部材）１０１は表裏に貫通する複数の挿通孔１０２を有している。そして、このマットシール１０１は、図１２に示すように、マットシールカバー（防水部材カバー）１０３によってハウジング１０４に組付けられ、挿通孔１０２の内周に形成されたリップ部１０２ａが、ハウジング１０４の端子収容室１０５に収容された雌端子１０６から延びる電線１０７の外周に密着することで電線１０７とハウジング１０４との間をシールする。このような構造のコネクタでは、ハウジング１０４の端子収容室１０５へ収容される雌端子１０６は、相手側の雄端子が挿し込まれて接続される角筒状に形成された電気接続部１０９を前方へ向けてマットシールカバー１０３の貫通孔１０８から挿し込まれた後、マットシール１０１の挿通孔１０２へ通されて端子収容室１０５へ送り込まれることとなる。
【０００５】
ところで、端子収容室１０５への雌端子１０６の収容過程において、マットシール１０１の挿通孔１０２へ雌端子１０６を挿入させる際に、雌端子１０６が軸回りに回転して姿勢が崩れることがある。すると、図１３に示すように、マットシール１０１の挿通孔１０２を通過した雌端子１０６の電気接続部１０９の角部１０９ａが、ハウジング１０４の矩形状に形成された端子収容室１０５の縁部に突き当たり、端子収容室１０５へ雌端子１０６が円滑に挿入できず、雌端子１０６の挿入作業が滞るおそれがある。
【０００６】
本発明は、上述した事情に鑑みてなされたものであり、その目的は、端子の挿入作業を円滑かつ確実に行うことが可能なコネクタを提供することにある。
【課題を解決するための手段】
【０００７】
前述した目的を達成するために、本発明に係るコネクタは、下記（１）〜（３）を特徴としている。
（１）  電線の端末に接続された端子と、
前記端子が所定の姿勢で後方側から挿し込まれる端子収容室を有するハウジングと、
前記端子が通される挿通孔を有するとともに、前記ハウジングの後方に装着されて前記ハウジングと前記挿通孔に通された前記端子から延びる前記電線との間をシールする防水部材と、
を備えるコネクタであって、
前記防水部材は、
前記挿通孔における少なくとも端子挿入方向の後方側に設けられ、前記端子を前記挿通孔へ導くテーパ形状のガイド部と、
前記ガイド部に設けられ、前記挿通孔へ挿入される前記端子が当接されることで、前記端子の軸回りの姿勢を前記所定の姿勢に矯正する姿勢矯正部と、
を有する
ことを特徴とするコネクタ。
（２）  前記端子は、相手側端子と電気的に接続される電気接続部が断面視矩形状に形成され、
前記姿勢矯正部は、前記電気接続部の断面形状におけるそれぞれの辺に沿う位置に対応して突設された凸状部を有する
ことを特徴とする上記（１）に記載のコネクタ。
（３）  前記端子が通される貫通孔を有するとともに、前記防水部材を前記ハウジングへ保持する防水部材カバーを備え、
前記貫通孔へ通された前記端子は、前記電気接続部の軸回りの傾きが前記所定の姿勢に対して４５°未満に抑えられて前記防水部材の前記挿通孔へ導かれる
ことを特徴とする上記（２）に記載のコネクタ。
【０００８】
上記（１）の構成のコネクタによれば、防水部材の挿通孔へ端子を挿入する際に、姿勢矯正部によって端子の軸回りの姿勢が所定の姿勢に矯正される。これにより、防水部材の挿通孔を通してハウジングの端子収容室へ送り込まれる端子の先端が端子収容室の縁部に突き当たることがない。したがって、ハウジングの端子収容室への端子の挿入作業を円滑かつ確実に行うことができる。
上記（２）の構成のコネクタによれば、電気接続部が断面視矩形状に形成された端子を防水部材の挿通孔へ挿入する際に、電気接続部の先端における各辺が姿勢矯正部の各凸状部に沿わされ、電気接続部の先端における各角部が隣り合う凸状部間に導かれる。これにより、端子は、軸回りの姿勢が所定の姿勢に矯正されて挿通孔へ挿入される。また、端子が挿通孔を通過する際にも、電気接続部の各外周面が姿勢矯正部の各凸状部によって保持されるので、端子の姿勢を安定させた状態に維持させてハウジングの端子収容室へ送り込むことができる。
上記（３）の構成のコネクタによれば、電気接続部が断面視矩形状に形成された端子の軸回りの傾きが４５°以上となると、端子の姿勢の崩れが大きすぎて防水部材の姿勢矯正部による端子の所定の姿勢への矯正が困難となることがあるが、防水部材カバーの貫通孔へ通された端子は、電気接続部の軸回りの傾きが所定の姿勢に対して４５°未満に抑えられ、これにより、端子の姿勢を防水部材の姿勢矯正部で所定の姿勢に確実に矯正させてハウジングの端子収容室へ送り込ませることができる。
【発明の効果】
【０００９】
本発明によれば、端子の挿入作業を円滑かつ確実に行うことが可能なコネクタを提供できる。
【００１０】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１１】
【図１】図１は、本発明の一実施形態に係るコネクタの分解斜視図である。
【図２】図２は、図１に示したハウジングを後方から見た斜視図及びその一部の拡大図である。
【図３】図３（ａ），（ｂ）は図１に示したマットシールの拡大斜視図及び正面図である。
【図４】図４は、図３に示したマットシールの挿通孔を説明する図であって、図４（ａ）は図３におけるＡ部拡大図、図４（ｂ）は図４（ａ）におけるＢ−Ｂ断面図である。
【図５】図５は、図１に示したマットシールカバーの背面図である。
【図６】図６は、端子の構造を説明する図であって、図６（ａ）は端子の斜視図、図６（ｂ）は端子の正面図である。
【図７】図７は、端子の収容状態を説明するコネクタの一部の断面図である。
【図８】図８は、姿勢矯正部による端子の姿勢の矯正について説明するマットシール及び端子の要部拡大斜視図である。
【図９】図９は、マットシールの挿通孔への端子の挿入状態を示す端子を断面視した挿通孔の正面図である。
【図１０】図１０は、マットシールの挿通孔に設けられる姿勢矯正部の変形例を示す図であって、図１０（ａ）は挿通孔の正面図、図１０（ｂ）は図１０（ａ）におけるＣ−Ｃ断面図である。
【図１１】図１１は、従来のマットシールを示す図であって、図１１はマットシールの正面図、図１１（ｂ）は図１１（ａ）におけるＤ−Ｄ断面図、図１１（ｃ）は図１１（ｂ）におけるＥ部拡大図である。
【図１２】図１２は、図１１に示したマットシールを備えたコネクタの一部の断面図である。
【図１３】図１３は、図１２に示したハウジングの端子収容室及び端子収容室へ姿勢が崩れた状態で送り込まれる端子の斜視図である。
【発明を実施するための形態】
【００１２】
以下、本発明に係るコネクタの実施の形態の例を、図面を参照して説明する。
図１は、本発明の一実施形態に係るコネクタ１の分解斜視図である。
【００１３】
図１に示すように、本実施形態に係るコネクタ１は、合成樹脂製のハウジング１０と、ハウジング１０の後部に嵌め込まれるゴム製または柔軟樹脂製のマットシール（防水部材）２０と、ハウジング１０の後部に嵌合固定されることで、マットシール２０を後側から押圧しつつ脱落防止する合成樹脂製のマットシールカバー（防水部材カバー）３０と、ハウジング１０の外側に回動可能に装着された合成樹脂製のレバー５０と、ハウジング１０の内部に前方から装着されるパッキン６０と、ハウジング１０の前部に装着されるフロントホルダ７０と、ハウジング１０に後方から収容される複数の雌端子（端子）８０と、を備えている。
【００１４】
コネクタ１は、ハウジング１０の後部に装着されたマットシール２０によって電線８１とハウジング１０との間がシールされる防水コネクタである。また、このコネクタ１は、ハウジング１０に回動可能に装着されたレバー５０を回動させることで、ハウジング１０に相手側コネクタのハウジングが引き寄せられる。これにより、コネクタ１に対して相手側コネクタが低挿入力で接合される。このように、コネクタ１は、防水コネクタであるとともに、レバー５０の操作によって相手側コネクタを低挿入力（Ｌｏｗ  Ｉｎｓｅｒｔｉｏｎ  Ｆｏｒｃｅ）で接合させるＬＩＦコネクタである。
【００１５】
図１及び図２に示すように、ハウジング１０は、それぞれ雌端子８０を収容する複数の端子収容室１５を有した内周側のインナーハウジング１１と、その外周側のアウターハウジング１２と、インナーハウジング１１及びアウターハウジング１２の後側に配置された筒壁部１４と、を備えている。
【００１６】
端子収容室１５は、正面視矩形状に形成されており、この端子収容室１５に、角筒状の断面視矩形状に形成されて相手側端子と電気的に接続される電気接続部８２を有する雌端子８０が所定の姿勢で挿し込まれて収容される。
アウターハウジング１２は、図示しない相手コネクタのハウジングの嵌合筒壁の外周に嵌合する部分である。インナーハウジング１１は、相手コネクタのハウジングの嵌合筒壁の内周に嵌合する部分である。アウターハウジング１２の後端は、インナーハウジング１１の後端及び筒壁部１４の前端に結合されている。筒壁部１４は、マットシール２０とマットシールカバー３０を収容するための収容空間１３を形成している。
【００１７】
図３（ａ），（ｂ）は、図１に示したマットシール２０の拡大斜視図及び正面図である。図４は、図３に示したマットシール２０の挿通孔を説明する図であって、図４（ａ）は図３におけるＡ部拡大図、図４（ｂ）は図４（ａ）におけるＢ−Ｂ断面図である。
【００１８】
図３（ａ），（ｂ）に示すように、マットシール２０は、マット本体２１の外周に、マット本体２１がハウジング１０の後部の筒壁部１４の内周に嵌め込まれた際に、筒壁部１４との隙間をシールするリップ部２２を有している。マットシール２０には、マット本体２１のハウジング１０の各端子収容室１５に対応する位置に、それぞれ挿通孔２５が貫通形成されている。このマットシール２０は、ハウジング１０の後部に収容空間１３を形成している筒壁部１４の内周に嵌め込まれた状態で、挿通孔２５を通して端子収容室１５に雌端子８０がそれぞれ挿入された際に、各挿通孔２５の内周が、各雌端子８０から後方へ延びる電線８１の外周にそれぞれ密着することで、各電線８１とハウジング１０との間を一括シールする。
【００１９】
図４（ａ），（ｂ）に示すように、挿通孔２５の内面には、周方向へわたって内周方向へ突出する複数の内周リップ２６が軸方向に間隔をあけて設けられている。また、挿通孔２５における端子挿入方向Ａの後方側及び前方側には、それぞれ挿通孔２５の軸方向の中央へ向かって次第に窄まるテーパ形状のガイド部２５ａ，２５ｂが形成されている。内周リップ２６を有する挿通孔２５は、挿入される雌端子８０によって押し広げられ、雌端子８０の通過後に、電線８１の外周に密着する。
【００２０】
マットシール２０は、挿通孔２５における端子挿入方向Ａの後方側、つまり、雌端子８０の挿入側のガイド部２５ａに、姿勢矯正部２７を有している。この姿勢矯正部２７は、ガイド部２５ａの面から突出する複数（本例では４つ）の凸状部２８を有している。これらの凸状部２８は、一対ずつ互いに挿通孔２５を挟んだ対向位置に形成され、電気接続部８２の断面形状におけるそれぞれの辺に沿う位置に対応して突設されている。それぞれの凸状部２８は、挿通孔２５側における幅方向の中央部分が最大に突出された頂点部２８ａとされており、この頂点部２８ａから周囲に向かってなだらかに下方へ傾斜するように形成されている。これにより、姿勢矯正部２７では、隣り合う凸状部２８同士の間が凹み部２８ｂとされている。これらの凹み部２８ｂは、ハウジング１０の矩形状に形成された端子収容室１５の隅部に対応する位置に形成されている。
【００２１】
図５は、図１に示したマットシールカバー３０の背面図である。
マットシールカバー３０は、図１に示したように、マットシール２０を介してハウジング１０の後端に装着されることで、マットシール２０を抜け止め保持すると共にマットシール２０に十分なシール性発揮のための押圧力を付与する機能を果たす。図５に示すように、合成樹脂の成形品よりなるマットシールカバー３０のカバー本体３１には、マットシール２０の各挿通孔２５に対応する位置に、雌端子８０を挿入すると共に電線８１を後方へ引き出すための複数の貫通孔３２が設けられている。貫通孔３２は、正面視矩形に形成されており、この貫通孔３２に、角筒状の断面視矩形状に形成された電気接続部８２を有する雌端子８０が挿通される。貫通孔３２には、その内周面の一部に、軸方向に沿う位置決め凹部３２ａが形成されている。このように形成されたマットシールカバー３０の貫通孔３２は、挿通される雌端子８０を、電気接続部８２の軸回りの傾きが正逆方向へ４５°未満に抑えて通過させる。
【００２２】
マットシールカバー３０には、その周囲にロック部３８が形成されており、このロック部３８は、ハウジング１０の筒壁部１４に形成された係止ロック孔１８（図２参照）に係合される。マットシールカバー３０は、ロック部３８が係止ロック孔１８に係合することで、マットシール２０が抜け止めされると共にマットシール２０が筒壁部１４内に押し込められてハウジング１０に保持される。
【００２３】
図６は、雌端子の構造を説明する図であって、図６（ａ）は雌端子の斜視図、図６（ｂ）は雌端子の正面図である。
【００２４】
図６（ａ），（ｂ）に示すように、雌端子８０には、電線８１が接続されている。雌端子８０は、電気接続部８２と、電線接続部８３とを有している。雌端子８０は、例えば、銅又は銅合金等の導電性金属材料から形成されたもので、プレス成形で打ち抜き加工及び折り曲げ加工されて形成されている。
【００２５】
電気接続部８２は、断面視矩形状の角筒状に形成されている。電気接続部８２は、底板８９と、この底板８９の両側部から立設された側板８４と、一方の側板８４の上縁から他方の側板８４の上縁へ向かって延在された天板８５と、を有している。天板８５には、弾性接触片８６が形成されている。弾性接触片８６は、天板８５における先端側で内側に折り返されて後端側へ延在されている。弾性接触片８６は、中間部が天板８５側へ向かって凸に屈曲形成されており、底板８９と弾性接触片８６との間に僅かに隙間が形成されている。電気接続部８２における底板８９と弾性接触片８６との間には、図示しない相手側コネクタの雄端子（相手側端子）が挿入され、これにより、雌端子８０と相手側端子とが互いに導通接続される。また、電気接続部８２は、一側部に、外方へ突出する位置決め突起８２ａを有している。位置決め突起８２ａは、マットシールカバー３０の貫通孔３２に形成された位置決め凹部３２ａに通される。これにより、雌端子８０が所定の姿勢に位置決めされた状態でマットシールカバー３０の貫通孔３２へ挿通されてマットシール２０及びハウジング１０へ送り込まれる。
【００２６】
雌端子８０の電線接続部８３は、電気接続部８２側から順に導体圧着部８７と、外被圧着部８８とを有している。導体圧着部８７は、一対の導体加締め片８７ａを有しており、外被圧着部８８は、一対の外被加締め片８８ａを有している。導体圧着部８７には、導体加締め片８７ａを加締めることで、電線８１の端部で露出された導体８１ａが圧着され、これにより、雌端子８０が電線８１の導体８１ａと導通接続される。また、外被圧着部８８には、外被加締め片８８ａを加締めることで、電線８１の外被部分の端部が圧着されて固定される。
【００２７】
図７は、雌端子８０の収容状態を説明するコネクタ１の一部の断面図である。
図７に示すように、コネクタ１の後端から装着された雌端子８０は、その電気接続部８２がハウジング１０の端子収容室１５でランス１５ａによって係止された状態に収容される。この状態で、雌端子８０に接続された電線８１の外周にマットシール２０の挿通孔２５の内周リップ２６が密着され、これにより、電線８１とハウジング１０との間がシールされる。
【００２８】
次に、雌端子８０をハウジング１０へ組付ける場合について説明する。
図８は、姿勢矯正部２７による雌端子８０の姿勢の矯正について説明するマットシール２０及び雌端子８０の要部拡大斜視図である。図９は、マットシール２０の挿通孔２５への雌端子８０の挿入状態を示す雌端子８０を断面視した挿通孔２５の正面図である。
【００２９】
雌端子８０の電気接続部８２に形成された位置決め突起８２ａの位置をマットシールカバー３０の貫通孔３２の位置決め凹部３２ａに合わせ、マットシールカバー３０の後方側から貫通孔３２へ雌端子８０を挿し込む。これにより、雌端子８０は、所定の姿勢でマットシールカバー３０の貫通孔３２へ挿通される。
【００３０】
さらに雌端子８０を挿し込むことで、雌端子８０の電気接続部８２をマットシール２０の挿通孔２５へ挿入する。
このとき、図８に示すように、雌端子８０が軸回りに回転して姿勢が傾いた状態でマットシール２０の挿通孔２５へ挿し込まれることがある。すると、雌端子８０は、その先端が挿通孔２５における雌端子８０の挿入側のガイド部２５ａに設けられた姿勢矯正部２７に当接することで、その姿勢がハウジング１０の端子収容室１５へ収容される際の正規の姿勢である所定の姿勢へ戻される。具体的には、雌端子８０の断面視矩形状の角筒状に形成された電気接続部８２の先端における角部８２ｂが、姿勢矯正部２７の凸状部２８に当接する。すると、電気接続部８２の角部８２ｂは、凸状部２８の傾斜に沿って隣り合う凸状部２８同士の間の凹み部２８ｂへ導かれる。これにより、雌端子８０は、姿勢が崩れた方向と逆方向（図８中矢印Ｂ方向）へ回転されて、電気接続部８２の断面形状におけるそれぞれの辺に沿う位置に対応して凸状部２８が配置され、ハウジング１０の端子収容室１５と一致した所定の姿勢に戻される。したがって、雌端子８０は、所定の姿勢でマットシール２０の挿通孔２５へ挿入される。
【００３１】
図９に示すように、雌端子８０は、挿通孔２５へ挿入されると、電気接続部８２の外周面である両側面及び上下面が凸状部２８によって保持され、これにより、挿通孔２５の通過中においても所定の姿勢が維持される。このように、正規の所定の姿勢で挿通孔２５を通過した雌端子８０は、ハウジング１０の端子収容室１５の縁部に干渉することなく端子収容室１５へ円滑に挿し込まれる。
【００３２】
雌端子８０がマットシール２０の挿通孔２５を通過すると、マットシール２０の挿通孔２５の内周リップ２６が電線８１の外周面へ均一に密着し、電線８１とハウジング１０とがシールされる。
【００３３】
以上、説明したように、本実施形態に係るコネクタ１によれば、マットシール２０の挿通孔２５へ雌端子８０を挿入する際に、姿勢矯正部２７によって雌端子８０の軸回りの姿勢が所定の姿勢に矯正される。
【００３４】
具体的には、電気接続部８２が断面視矩形状に形成された雌端子８０をマットシール２０の挿通孔２５へ挿入する際に、電気接続部８２の先端における各辺が姿勢矯正部２７の各凸状部２８に沿わされ、電気接続部８２の先端における各角部８２ｂが隣り合う凸状部２８間に導かれる。これにより、雌端子８０は、軸回りの姿勢が所定の姿勢に矯正されて挿通孔２５へ円滑に挿入される。
【００３５】
これにより、マットシール２０の挿通孔２５を通してハウジング１０の端子収容室１５へ送り込まれる雌端子８０の先端は、端子収容室１５の縁部に突き当たることがない。したがって、ハウジング１０の端子収容室１５への雌端子８０の挿入作業を円滑かつ確実に行うことができる。
【００３６】
また、雌端子８０が挿通孔２５を通過する際にも、電気接続部８２の外周面が姿勢矯正部２７の各凸状部２８によって保持されるので、雌端子８０の姿勢を安定させた状態に維持させてハウジング１０の端子収容室１５へ送り込むことができる。
【００３７】
ところで、電気接続部８２が断面視矩形状に形成された雌端子８０の軸回りの傾きが４５°以上となると、雌端子８０の姿勢の崩れが大きすぎてマットシール２０の姿勢矯正部２７による雌端子８０の所定の姿勢への矯正が困難となることがある。つまり、断面視矩形状の電気接続部８２の軸回りの傾きが４５°以上となると、電気接続部８２の角部８２ｂが対応する凹み部２８ｂとは異なる隣接する凹み部２８ｂへ導かれてしまい、雌端子８０の軸回りの傾きが９０°になってしまう。
【００３８】
しかし、本実施形態では、マットシールカバー３０の貫通孔３２へ通される電気接続部８２の軸回りの傾きが所定の姿勢に対して４５°未満に抑えられるので、雌端子８０の姿勢をマットシール２０の姿勢矯正部２７で所定の姿勢に確実に矯正させてハウジング１０の端子収容室１５へ送り込ませることができる。
【００３９】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４０】
例えば、上記実施形態では、複数の凸状部２８を有する姿勢矯正部２７をガイド部２５ａに設けたが、姿勢矯正部２７Ａとしては、図１０（ａ），（ｂ）に示したマットシール２０Ａのように、ガイド部２５ａに電気接続部８２の角部８２ｂを正規の位置に導くことで雌端子８０を所定の姿勢に矯正する溝部２９を形成したものでもよい。
【００４１】
また、上記実施形態では、姿勢矯正部２７を挿通孔２５における雌端子８０の挿入側のガイド部２５ａに設けたが、挿通孔２５のガイド部２５ａ，２５ｂの両方に設けても良い。この場合、挿通孔２５へ雌端子８０を挿入する際の雌端子８０の姿勢の矯正だけでなく、挿通孔２５から雌端子８０を引き抜く際にも雌端子８０の姿勢を矯正し、マットシールカバー３０の貫通孔３２の縁部への雌端子８０の干渉も抑制できる。
【００４２】
ここで、上述した本発明に係るコネクタの実施形態の特徴をそれぞれ以下［１］〜［３］に簡潔に纏めて列記する。
［１］  電線（８１）の端末に接続された端子（雌端子８０）と、
前記端子（雌端子８０）が所定の姿勢で後方側から挿し込まれる端子収容室（１５）を有するハウジング（１０）と、
前記端子（雌端子８０）が通される挿通孔（２５）を有するとともに、前記ハウジング（１０）の後方に装着されて前記ハウジング（１０）と前記挿通孔（２５）に通された前記端子（雌端子８０）から延びる前記電線（８１）との間をシールする防水部材（マットシール２０）と、
を備えるコネクタ（１）であって、
前記防水部材（マットシール２０）は、
前記挿通孔（２５）における少なくとも端子の挿入方向（Ａ）の後方側に設けられ、前記端子（雌端子８０）を前記挿通孔（２５）へ導くテーパ形状のガイド部（２５ａ）と、
前記ガイド部（２５ａ）に設けられ、前記挿通孔（２５）へ挿入される前記端子（雌端子８０）が当接されることで、前記端子（雌端子８０）の軸回りの姿勢を前記所定の姿勢に矯正する姿勢矯正部（２７）と、
を有する
ことを特徴とするコネクタ（１）。
［２］  前記端子（雌端子８０）は、相手側端子と電気的に接続される電気接続部（８２）が断面視矩形状に形成され、
前記姿勢矯正部（２７）は、前記電気接続部（８２）の断面形状におけるそれぞれの辺に沿う位置に対応して突設された凸状部（２８）を有する
ことを特徴とする上記［１］に記載のコネクタ（１）。
［３］  前記端子（雌端子８０）が通される貫通孔（３２）を有するとともに、前記防水部材（マットシール２０）を前記ハウジング（１０）へ保持すせる防水部材カバー（マットシールカバー３０）を備え、
前記貫通孔（３２）へ通された前記端子（雌端子８０）は、前記電気接続部（８２）の軸回りの傾きが前記所定の姿勢に対して４５°未満に抑えられて前記防水部材（マットシール２０）の前記挿通孔（２５）へ導かれる
ことを特徴とする上記［２］に記載のコネクタ（１）。
【符号の説明】
【００４３】
１：コネクタ
１０：ハウジング
１５：端子収容室
２０：マットシール（防水部材）
２５：挿通孔
２５ａ：ガイド部
２７：姿勢矯正部
２８：凸状部
３０：マットシールカバー（防水部材カバー）
３２：貫通孔
８０：雌端子（端子）
８１：電線
Ａ：端子挿入方向
【図１】
2018200766.tif 000003
【図２】
2018200766.tif 000004
【図３】
2018200766.tif 000005
【図４】
2018200766.tif 000006
【図５】
2018200766.tif 000007
【図６】
2018200766.tif 000008
【図７】
2018200766.tif 000009
【図８】
2018200766.tif 000010
【図９】
2018200766.tif 000011
【図１０】
2018200766.tif 000012
【図１１】
2018200766.tif 000013
【図１２】
2018200766.tif 000014
【図１３】
2018200766.tif 000015